(57)【要約】【課題】複数ページ分の画像データを連続的に処理し、かつ、その処理内容をプレビュー表示により確認可能にする場合であっても、無駄な出力を行うことがなく、迅速な処理を行うことが可能とする。【解決手段】複数の入力ページ分の画像データを連続的に取得するとともに当該画像データに対し必要に応じて画像処理を行う前処理手段１，２と、複数の出力ページ分の画像データを連続的に出力または記憶蓄積する後処理手段６と、出力または記憶蓄積しようとする画像データについての表示を前記複数の出力ページのページ単位毎に行う画像表示手段５ａと、前記画像表示手段５ａが表示する画像データの前記後処理手段６での出力または記憶蓄積の可否と当該画像データの前記画像表示手段５ａでの表示態様との少なくとも一方を選択するための操作手段５ｂとを備えて、画像処理装置を構成する。【選択図】図１
2005142989.tif 000002
【特許請求の範囲】
【請求項１】
複数の入力ページ分の画像データを連続的に取得するとともに当該画像データに対し必要に応じて画像処理を行う前処理手段と、
前記前処理手段が取得した画像データまたは当該前処理手段による画像処理後の画像データを複数の出力ページ分の画像データとして連続的に出力または記憶蓄積する後処理手段と、
前記後処理手段が出力または記憶蓄積しようとする画像データについての表示を前記複数の出力ページのページ単位毎に行う画像表示手段と、
前記画像表示手段が表示する画像データの前記後処理手段での出力または記憶蓄積の可否と当該画像データの前記画像表示手段での表示態様との少なくとも一方を選択するための操作手段と
を備えることを特徴とする画像処理装置。
【請求項２】
前記前処理手段は、原稿画像を読み取ることで画像データを取得するものである
ことを特徴とする請求項１記載の画像処理装置。
【請求項３】
前記前処理手段は、外部からの受信により画像データを取得するものである
ことを特徴とする請求項１記載の画像処理装置。
【請求項４】
前記前処理手段は、複数の入力ページ分の画像データを一つの出力ページ分の画像データとするように画像処理を行うものである
ことを特徴とする請求項１、２または３記載の画像処理装置。
【請求項５】
前記後処理手段は、記録紙上への画像データの出力または記憶媒体への画像データの記憶蓄積を行うものである
ことを特徴とする請求項１〜４のいずれか１項に記載の画像処理装置。
【請求項６】
前記後処理手段は、画像データの送信により外部に当該画像データの出力または記憶蓄積を行わせるものである
ことを特徴とする請求項１〜４のいずれか１項に記載の画像処理装置。
【請求項７】
複数の画像処理装置が接続されてなる画像処理システムであって、
複数の入力ページ分の画像データを連続的に取得するとともに当該画像データに対し必要に応じて画像処理を行う前処理手段と、
前記前処理手段が取得した画像データまたは当該前処理手段による画像処理後の画像データを複数の出力ページ分の画像データとして連続的に出力または記憶蓄積する後処理手段と、
前記後処理手段が出力または記憶蓄積しようとする画像データについての表示を前記複数の出力ページのページ単位毎に行う画像表示手段と、
前記画像表示手段が表示する画像データの前記後処理手段での出力または記憶蓄積の可否と当該画像データの前記画像表示手段での表示態様との少なくとも一方を選択するための操作手段とが、
前記複数の画像処理装置のいずれかに設けられている
ことを特徴とする画像処理システム。
【請求項８】
複数の入力ページ分の画像データを連続的に取得するとともに当該画像データに対し必要に応じて画像処理を行う前処理ステップと、
前記前処理ステップで取得した画像データまたは当該前処理ステップによる画像処理後の画像データを複数の出力ページ分の画像データとして連続的に出力または記憶蓄積する後処理ステップと、
前記後処理ステップに先立ち、当該後処理ステップで出力または記憶蓄積しようとする画像データについての表示を前記複数の出力ページのページ単位毎に行う画像表示ステップと、
前記画像表示ステップで表示する画像データの前記後処理ステップでの出力または記憶蓄積の可否と当該画像データの前記画像表示ステップでの表示態様との少なくとも一方を選択するための操作ステップと
を備えることを特徴とする画像処理方法。
【発明の詳細な説明】
【技術分野】
【０００１】
本発明は、取得した画像データに対し必要に応じて画像処理を行い出力または記憶蓄積する画像処理装置、画像処理システムおよび画像処理方法に関するものである。
【背景技術】
【０００２】
近年、例えば複写機の中には、原稿画像から読み取った画像データに対して、必要に応じて画像処理を行った後、その画像処理後の画像データを記録紙上へ出力するように構成されたものがある。このような構成の複写機によれば、小冊子に適したページレイアウトにするための面付け処理、枠消しや中消し等の編集処理、片面原稿の両面化処理、いわゆるＮアップ等の合成処理といった各種画像処理を経て、記録紙上への印刷出力を行うことが可能である。
【０００３】
ところで、上述したような画像処理を経て印刷出力を行う場合においては、その印刷出力に先立って、操作者が意図した画像処理が行われているか否かを判断するために、その画像処理の内容を事前に確認したいという要望が生じ得る。このような要望に対しては、その画像処理の内容をディスプレイパネル等で画像表示することによって応えることが考えられる。そのための従来技術としては、例えば、ディスプレイの画面上にプレビュー画像を表示し、そのプレビュー画像を印刷出力（ハードコピー）するにあたって、そのハードコピーの指定失敗を防ぐための制御技術が提案されている（例えば、特許文献１参照）。
【０００４】
【特許文献１】特開平１１−２３７９６７号公報
【発明の開示】
【発明が解決しようとする課題】
【０００５】
しかしながら、複写機をはじめとする各種画像処理装置（プリンタ、ファクシミリ、情報通信端末等）で処理すべき画像データが複数ページ分に亘る文書（ドキュメント）データであり、各ページが連続的に処理される場合においては、その複数ページ分の文書データ全体が一つの単位として制御処理されるため、必ずしも適切なプレビュー表示および画像処理内容の確認が行われるとは限らない。例えば、複数ページ分の文書データを連続的に処理する場合であれば、ある特定ページのみ画像処理内容が操作者の意図通りでないことも生じ得るが、そのときには文書全体についての再処理が必要になってしまい、記録紙や処理時間等の節約といった観点からは好ましくない。
【０００６】
そこで、本発明は、複数ページ分の画像データを連続的に処理し、かつ、その処理内容をプレビュー表示により確認可能にする場合であっても、無駄な出力あるいは蓄積を行うことがなく、迅速な処理を行うことが可能な画像処理装置、画像処理システムおよび画像処理方法を提供することを目的とする。
【課題を解決するための手段】
【０００７】
本発明は、上記目的を達成するために案出された画像処理装置で、複数の入力ページ分の画像データを連続的に取得するとともに当該画像データに対し必要に応じて画像処理を行う前処理手段と、前記前処理手段が取得した画像データまたは当該前処理手段による画像処理後の画像データを複数の出力ページ分の画像データとして連続的に出力または記憶蓄積する後処理手段と、前記後処理手段が出力または記憶蓄積しようとする画像データについての表示を前記複数の出力ページのページ単位毎に行う画像表示手段と、前記画像表示手段が表示する画像データの前記後処理手段での出力または記憶蓄積の可否と当該画像データの前記画像表示手段での表示態様との少なくとも一方を選択するための操作手段とを備えることを特徴とするものである。
【０００８】
また、本発明は、上記目的を達成するために案出された画像処理システムである。すなわち、複数の画像処理装置が接続されてなる画像処理システムであって、複数の入力ページ分の画像データを連続的に取得するとともに当該画像データに対し必要に応じて画像処理を行う前処理手段と、前記前処理手段が取得した画像データまたは当該前処理手段による画像処理後の画像データを複数の出力ページ分の画像データとして連続的に出力または記憶蓄積する後処理手段と、前記後処理手段が出力または記憶蓄積しようとする画像データについての表示を前記複数の出力ページのページ単位毎に行う画像表示手段と、前記画像表示手段が表示する画像データの前記後処理手段での出力または記憶蓄積の可否と当該画像データの前記画像表示手段での表示態様との少なくとも一方を選択するための操作手段とが、前記複数の画像処理装置のいずれかに設けられていることを特徴とするものである。
ここで、「複数の画像処理装置のいずれか」とは、各手段が同一の画像処理装置に設けられている場合に他に、各手段がそれぞれ異なる画像処理装置に設けられている場合をも含む意である。
【０００９】
また、本発明は、上記目的を達成するために案出された画像処理方法で、複数の入力ページ分の画像データを連続的に取得するとともに当該画像データに対し必要に応じて画像処理を行う前処理ステップと、前記前処理ステップで取得した画像データまたは当該前処理ステップによる画像処理後の画像データを複数の出力ページ分の画像データとして連続的に出力または記憶蓄積する後処理ステップと、前記後処理ステップに先立ち、当該後処理ステップで出力または記憶蓄積しようとする画像データについての表示を前記複数の出力ページのページ単位毎に行う画像表示ステップと、前記画像表示ステップで表示する画像データの前記後処理ステップでの出力または記憶蓄積の可否と当該画像データの前記画像表示ステップでの表示態様との少なくとも一方を選択するための操作ステップとを備えることを特徴とする。
【００１０】
上記構成の画像処理装置および画像処理システム、並びに上記構成の画像処理方法によれば、出力または記憶蓄積しようとする画像データについての表示を出力ページ単位毎に行うとともに、出力または記憶蓄積の可否と画像データの表示態様との少なくとも一方を選択するための操作を行い得るようになっている。出力ページ単位毎の「画像データについての表示」には、そのページ全体の表示の他に、そのページの一部分のみのをも含むものとする。「出力または記憶蓄積の可否」の選択とは、表示された出力ページについて、その出力または記憶蓄積を行うか否かを選択することをいう。また、「画像データの表示態様」の選択とは、連続的に処理する各出力ページについて、例えば全出力ページを順次表示するか、代表出力ページのみを出力するか等といった表示態様を選択することをいう。したがって、複数ページ分の画像データを連続的に処理する場合であっても、ある特定ページのみ再処理を行ったり不必要なページの表示を省いたりすることが可能となる。
【発明の効果】
【００１１】
本発明の画像処理装置、画像処理システムおよび画像処理方法によれば、複数ページ分の画像データを連続的に処理し、かつ、その処理内容をプレビュー表示により確認可能にする場合であっても、ページ単位毎に出力または記憶蓄積の可否を選択可能にすることで、無駄な出力あるいは蓄積を行うことがなく迅速な処理を行うことができるようになる。また、画像データの表示態様の選択可能にすることで、逐次表示指定や不必要なページ表示の省略等が可能となり、必要に応じて連続高速処理が行えるようになる。
【発明を実施するための最良の形態】
【００１２】
以下、図面に基づき本発明に係る画像処理装置、画像処理システムおよび画像処理方法について説明する。
【００１３】
〔第１の実施の形態〕
先ず、本発明の第１実施形態について説明する。図１は、本発明の第１実施形態における画像処理装置の概略構成の一例を示すブロック図である。なお、図例では、画像処理装置として、デジタル複写機を例に挙げている。
図例のように、ここで説明するデジタル複写機（画像処理装置）は、スキャナ部１と、画像処理部２と、ページメモリ３と、プリント部４と、ユーザインタフェース（以下「ＵＩ」と略す）部５と、制御部６とを備えて構成されている。
【００１４】
スキャナ部１は、原稿画像を光学的に読み取ることで、読み取り対象となる原稿から画像データを取得するものである。すなわち、スキャナ部１は、本発明における前処理手段の一つとして機能するものである。ただし、スキャナ部１では、例えばＡＤＦ（Automatic Document Feeder）やＤＡＤＦ（Dual Automatic Document Feeder）を備えており、複数の入力ページ分の画像データを連続的に取得することが可能となっている。なお、スキャナ部１やＡＤＦ等の詳細な構成については公知であるため、ここではその説明を省略する。
【００１５】
画像処理部２は、例えばＡＳＩＣ（Application Specified Integrated Circuit）からなるもので、スキャナ部１で取得した画像データに対して、必要に応じて画像処理を行うものである。すなわち、画像処理部２も、本発明における前処理手段の一つとして機能するものである。この画像処理部２が行う画像処理としては、小冊子に適したページレイアウトにするための面付け処理、枠消しや中消し等の編集処理、片面原稿の両面化処理、いわゆるＮアップ等の合成処理、天地あわせの回転（縦横混在画像、ステープル処理指定等）処理、濃度調整処理といったものが挙げられるが、これらに限定されるものではない。なお、画像処理の詳細については、公知技術を利用して実現されるものであるため、ここではその説明を省略する。
【００１６】
ページメモリ３は、スキャナ部１で取得した画像データを、あるいは画像処理部２が画像処理を行う場合には当該画像処理後の画像データを、少なくともその出力ページの１ページ分だけ、一時的に記憶保持するものである。このとき、画像データの出力ページは、原則として当該画像データの入力ページと同一となるが、画像処理部２が画像処理（例えば合成処理）を行う場合には、入力ページと出力ページとが必ずしも一致せずに、その画像処理の内容に依存することになる。したがって、複数の入力ページが一つの出力ページに相当することもあり得る。
【００１７】
プリント部４は、ページメモリ３が記憶保持している出力ページの１ページ分の画像データをそのページメモリ３内から取り出して、記録紙上へ可視画像として印刷出力するものである。したがって、ページメモリ３内に複数の出力ページ分の画像データが順次書き込まれる場合には、プリント部４は、複数の出力ページ分の画像データを連続的に印刷出力することになる。つまり、プリント部４は、本発明における後処理手段として機能するものである。なお、プリント部４の詳細な構成については公知であるため、ここではその説明を省略する。
【００１８】
ＵＩ部５は、デジタル複写機の使用者が操作するためのもので、ディスプレイパネルからなる表示部５ａと、タッチパネルや押釦スイッチ等からなる操作部５ｂとを備えてなるものである。
表示部５ａは、プリント部４が印刷出力しようとする画像データについての表示を、複数の出力ページのページ単位毎に行うものである。すなわち、表示部５ａは、本発明における画像表示手段として機能するものである。
操作部５ｂは、表示部５ａが表示する画像データのプリント部４での出力可否と、当該画像データの表示部５ａでの表示態様との少なくとも一方を、デジタル複写機の使用者が選択するためのものである。すなわち、操作部５ｂは、本発明における操作手段として機能するものである。
【００１９】
制御部６は、例えば所定プログラムを実行するＣＰＵ（Central Processing Unit）からなるもので、上述した各部の制御をはじめとするデジタル複写機全体の動作制御を行うものである。
【００２０】
ここで、以上のような構成のデジタル複写機におけるＵＩ部５について、具体例を挙げてさらに詳しく説明する。図２は、ＵＩ部の具体例を示す模式図である。
ＵＩ部５としては、図２（ａ）に示すように、表示部５ａにタッチパネルからなる操作部５ｂが重ねて配設されるとともに、その表示部５ａによって画像データのプレビュー表示の画像５１とともに操作スイッチの画像５２が表示されるように構成されたものが挙げられる。このような構成のＵＩ部５では、表示部５ａが画像データについての画像５１の表示を行っている間のみ、操作スイッチの画像５２が表示されることになる。ただし、表示部５ａにより操作スイッチの画像５２が表示されるため、その表示レイアウトの柔軟性が高く、操作スイッチの変更等にも容易に対応することができる。
また、図２（ｂ）に示すように、表示部５ａとは別に、操作部５ｂを構成する押釦スイッチ５３を配することも考えられる。この場合には、表示部５ａが画像データについての画像５１の表示のみを行えばよいので、その表示にあたっての制御処理の簡素化が実現可能となる。
さらに、図２（ｃ）に示すように、表示部５ａとは別に押釦スイッチ５４を配するとともに、その押釦スイッチ５４を識別するための説明画像５５を、表示部５ａに表示させるようにしてもよい。この場合には、タッチパネル等を不要にすることで制御処理の簡素化が実現可能になるとともに、説明画像５５の変更によりスイッチの変更等にも容易に対応することができる。
【００２１】
次に、以上のように構成されたデジタル複写機における処理動作例、すなわち本発明に係る画像処理方法について説明する。
【００２２】
〔第１のモード〕
先ず、第１のモードについて説明する。
デジタル複写機における処理動作の開始にあたっては、先ず、制御部６が機内に予め設定されている初期設定を確認し、プレビューモードが設定されているか否かを判断する。そして、プレビューモードが設定されていなければ、従来と同様の一般的なコピー処理動作を行う。一方、プレビューモードが設定されていれば、制御部６は、デジタル複写機の使用者によるＵＩ部５のスタートボタンの押下に応じて、表示部５ａに画像データのプレビュー表示を行わせる。このとき、制御部６は、ＵＩ部５にプレビューボタンが設けられていれば、初期設定ではなく、そのプレビューボタンの押下があるか否かに応じて、プレビュー表示の有無を判断するようにしてもよい。
【００２３】
表示部５ａに画像データのプレビュー表示を行わせる場合には、スキャナ部１で取得した画像データ、あるいは画像処理部２による画像処理後の画像データが、その出力ページの１ページ分ページメモリ３内に書き込まれると、そのページメモリ３内の１ページ分の画像データについての画像表示を行う。このとき、表示部５ａは、予めの設定に従いつつ、そのページの全体または一部分のみを、原寸大表示、拡大／縮小表示、圧縮等による概要表示、モデル化されたサンプリング画像のいずれかで表示する。ページ全体を原寸大表示すれば、画像データや施された画像処理の内容等を容易に把握し得るようになる一方、一部分のみの表示や概要表示等であっても内容把握が可能なであり、却って表示負荷の軽減が図れるようになるからである。
【００２４】
そして、その表示内容を確認したデジタル複写機の使用者が、その表示内容が意図した通りのものであると判断し、操作部５ｂにおける特定スイッチ（例えば「ＮＥＸＴ釦」）を押下すると、制御部６は、ページメモリ３内の１ページ分の画像データの印刷出力を行うようにプリント部４に対して指示を与える。これにより、その１ページ分の画像データは、可視画像化されて記録紙上へ印刷出力されることになる。また、表示部５ａには、上述した一連の処理を経て、次の１ページ分の画像データについて画像表示が行われることになる。
【００２５】
一方、表示内容が意図と相違するとデジタル複写機の使用者が判断し、操作部５ｂにおける別の特定スイッチ（例えば「ＲＥＳＥＴ釦」）を押下すると、制御部６は、ページメモリ３内の１ページ分の画像データをプリント部４での印刷出力を行うことなく破棄する。そして、その１ページ分の画像データの基となった原稿画像をスキャナ部１に再セットするように、表示部５ａでの案内表示を通じてデジタル複写機の使用者に促し、再セット後に得られた画像データについて再び同様の処理を行う。
【００２６】
以上のような一連の処理を、制御部６をはじめとするデジタル複写機の各部は、一つのコピージョブにおいてスキャナ部１で取得した画像データの全ページについて終了するまで繰り返す。これにより、デジタル複写機の使用者は、画像データの各ページ毎に、プリント部４での出力可否を選択し得るようになる。
【００２７】
なお、表示部５ａでの表示内容を確認したデジタル複写機の使用者が、その表示内容が意図した通りのものであるとともに、その表示ページ以降の内容確認が不要であると判断し、操作部５ｂにおけるさらに別の特定スイッチ（例えば「ＳＫＩＰ釦」）を押下すると、制御部６は、ページメモリ３内の１ページ分の画像データの印刷出力をプリント部４に行わせるとともに、次ページ以降のプレビュー表示を表示部５ａが行うことなくプリント部４が印刷出力を行うようにする。つまり、次ページ以降は、従来と同様の一般的なコピー処理動作を行う。
【００２８】
このように、プリント部４での出力可否のみならず、全ページを順次表示するか、代表ページのみを出力し、それ以降は表示省略（スキップ）するか等といった、画像データの表示部５ａでの表示態様をデジタル複写機の使用者が選択し得るようにすれば、プレビュー表示のための処理負荷軽減が図れ、プリント部４での出力の迅速化が実現可能となる。
【００２９】
〔第２のモード〕
続いて、第２のモードについて説明する。
上述した第１のモードでは、原則として、表示部５ａがプレビュー表示を行った後、操作部５ｂが操作されるまでは、次の動作を行わない。これに対して、第２のモードは、表示部５ａがプレビュー表示を行う場合であっても、操作部５ｂが操作されるまでは、コピー動作を中断しない点で、第１のモードの場合とは異なる。
【００３０】
第２のモードにおいても、スキャナ部１で取得した画像データ、あるいは画像処理部２による画像処理後の画像データが、その出力ページの１ページ分ページメモリ３内に書き込まれると、そのページメモリ３内の１ページ分の画像データについての画像表示を行う。ただし、このとき、表示部５ａは、予めの設定された一定時間だけ画像表示を行う。この一定時間は、固定値であってもよいが、ＵＩ部５から使用者が任意に設定し得るようにすることも考えられる。
【００３１】
そして、その一定時間が経過するまでに、デジタル複写機の使用者による操作部５ｂの操作が何もないと、制御部６は、ページメモリ３内の１ページ分の画像データの印刷出力をプリント部４に行わせるとともに、次ページについて表示部５ａにプレビュー表示を行わせる。このような一連の処理を、制御部６をはじめとするデジタル複写機の各部は、一つのコピージョブにおいてスキャナ部１で取得した画像データの全ページについて終了するまで繰り返す。
【００３２】
ただし、その一定時間が経過する前に、表示部５ａでの表示内容を確認したデジタル複写機の使用者が、操作部５ｂにおける特定スイッチ（例えば「ＳＴＯＰ釦」）を押下すると、制御部６は、上述した一連の処理を一時中断し、ページメモリ３内の１ページ分の画像データをプリント部４での印刷出力を行うことなく破棄する。そして、その１ページ分の画像データの基となった原稿画像を使用者がスキャナ部１に再セットし、その後使用者が操作部５ｂにおける別の特定スイッチ（例えば「ＣＯＮＴＩＮＵＥ釦」）を押下すると、制御部６は、一時中断していた一連の処理を再開し、再セット後に得られた画像データについて再び同様の処理を行う。
【００３３】
〔第２の実施の形態〕
次に、本発明の第２実施形態について説明する。図３は、本発明の第２実施形態における画像処理装置の概略構成の一例を示すブロック図である。なお、図例では、画像処理装置として、ファイルサーバ装置を例に挙げている。
図例のように、ここで説明するファイルサーバ装置（画像処理装置）は、プリント部４に代わってファイリング部７を備えて構成されている点で、上述した第１実施形態の場合とは異なる。ファイリング部７以外の構成要素については、第１実施形態の場合と同様なので、同一の符号を与えてその説明を省略する。
【００３４】
ファイリング部７は、例えば磁気ディスク装置、光ディスク装置または光磁気ディスク装置等の記憶装置からなるもので、ページメモリ３が記憶保持している出力ページの１ページ分の画像データをそのページメモリ３内から取り出して記憶蓄積するものである。したがって、ページメモリ３内に複数の出力ページ分の画像データが順次書き込まれる場合には、ファイリング部７は、複数の出力ページ分の画像データを一つのファイルデータとして記憶蓄積することになる。つまり、ファイリング部７は、本発明における後処理手段として機能するものである。なお、ファイリング部７の詳細な構成については公知であるため、ここではその説明を省略する。
【００３５】
次に、以上のように構成されたファイルサーバ装置における処理動作例、すなわち本発明に係る画像処理方法について説明する。ここで説明するファイルサーバ装置における処理動作例も、上述した第１実施形態の場合における第１のモードまたは第２のモードと略同様である。ただし、ファイルサーバ装置では、ファイリング部７が画像データの各出力ページを記憶蓄積するものであるため、以下に述べるような機能を実現することが可能である。
【００３６】
例えば、上述した第１のモードと同様に、表示部５ａが画像データの各出力ページを逐次表示して、その都度ファイルサーバ装置の使用者に記憶蓄積の可否を選択させる場合に、操作部５ｂは、「ＮＥＸＴ釦」と「ＲＥＳＥＴ釦」の他に「ＲＥＬＥＡＳＥ釦」と「ＰＵＲＧＥ釦」を使用者が選択操作可能とする。「ＲＥＳＥＴ釦」、「ＲＥＬＥＡＳＥ釦」および「ＰＵＲＧＥ釦」は、いずれも、プレビュー表示されたページについての記憶蓄積を行わないことを選択するためのものであるが、「ＲＥＳＥＴ釦」が表示ページのデータを破棄して、残してある他ページのデータに繋がるように再度原稿をセットして再スタートすることで、各ページのデータを連結するためのものであるのに対して、「ＲＥＬＥＡＳＥ釦」は表示ページのデータを破棄して、既に記憶蓄積されている処理済みデータを全データとしてみなしファイリング処理を終了するためのものである点で、また「ＰＵＲＧＥ釦」はは表示ページのデータを破棄するのに加えて、既に記憶蓄積されている処理済みデータをも全て破棄するためのものである点で、それぞれ異なる。
【００３７】
また、例えば、上述した第２のモードと同様に、表示部５ａが各出力ページのプレビュー表示を一定時間ずつ連続的に行う場合には、ファイルサーバ装置の使用者が操作部５ｂ上のＳＴＯＰ釦を押下すると、それに応じて操作部５ｂ上に「ＣＯＮＴＩＮＵＥ釦」の他に「ＲＥＳＥＴ釦」、「ＲＥＬＥＡＳＥ釦」および「ＰＵＲＧＥ釦」を表示して、その後の処理を使用者に選択させるようにすることも考えられる。
【００３８】
このようにすれば、デジタル複写機の使用者は、画像データの各ページ毎にファイリング部７での記憶蓄積可否を選択し得るとともに、既に記憶蓄積されている処理済みページについても、その取り扱いを選択し得るようになる。
【００３９】
なお、上述した第１および第２実施形態では本発明の好適な実施の形態をその具体例により説明したが、本発明はこれらに限定されるものでないことは言うまでもない。例えば、操作部５ｂでの使用者による選択は、画像データの出力または記憶蓄積の可否と当該画像データの表示部５ａでの表示態様との両方についてであっても、いずれか一方のみについてであってもよい。
【００４０】
また、第１および第２実施形態では、原稿画像を読み取ることで画像データを取得する場合を例に挙げて説明したが、いわゆるインターネットのような広域ネットワークやローカルエリアネットワーク等のネットワーク回線を通じて画像データを取得する場合や、あるいはファクシミリのように公衆電話回線を通じて画像データを取得する場合の如く、外部からの受信により画像データを取得するものであっても、全く同様に適用することが可能である。さらに、第１および第２実施形態では、自装置がプリント部４またはファイリング部７を備える場合を例に挙げて説明したが、ネットワーク回線や公衆電話回線等を通じて、外部に画像データの出力または記憶蓄積を行わせるものであっても、全く同様に適用することが可能である。
【００４１】
このことは、本発明が、デジタル複写機やファイルサーバ装置等のようなスタンドアローンの画像処理装置のみならず、複数の画像処理装置が接続されてなる画像処理システムにも適用可能であることを意味する。すなわち、スキャナ装置、パーソナルコンピュータ、プリンタ装置、外部記憶装置等が有線または無線のネットワーク回線を介して互いに接続されてなる画像処理システムにおいても、上述した第１および第２実施形態の場合と同様に、本発明を適用することが可能である。その場合、本発明の前処理手段、後処理手段、画像表示手段および操作手段としての機能は、画像処理システムを構成する各画像処理装置のいずれかに設けられていればよい。
【００４２】
このような本発明が適用された画像処理システムによれば、第１および第２実施形態で説明したような単独の画像処理装置に本発明を適用した場合と同様に、印刷出力、ネットワーク出力、ファクシミリ送信等といった画像データの出力前に、使用者が意図した通りか否かの確認をすることができ、意図通りでない場合には操作を中止したりやり直したりすることができるため、無駄な作業を行わずに済み、経費も安く済ませることができる。特に、画像処理を行う場合には、それぞれの編集単位毎に表示ができ、編集後の画像を確認し、所望通りでない場合はやり直し等を行うことができるため、用紙と時間を節約する上で非常に有効である。さらに、全ページ表示、１枚目のみ表示、逐次表示指定等の選択を可能にすれば、高速な連続処理にも対応することができるようになる。
【図面の簡単な説明】
【００４３】
【図１】本発明の第１実施形態における画像処理装置の概略構成の一例を示すブロック図である。
【図２】本発明に係る画像処理装置のＵＩ部の具体例を示す模式図である。
【図３】本発明の第２実施形態における画像処理装置の概略構成の一例を示すブロック図である。
【符号の説明】
【００４４】
１…スキャナ部、２…画像処理部、３…ページメモリ、４…プリント部、５…ＵＩ部、５ａ…表示部、５ｂ…操作部、６…制御部、７…ファイリング部
【図１】
2005142989.tif 000003
【図２】
2005142989.tif 000004
【図３】
2005142989.tif 000005